(57)【特許請求の範囲】
【請求項１】
複数のスコアラインが形成されたフェース面を有するアイアン型のゴルフクラブヘッドにおいて、
前記スコアラインの断面形状を少なくとも示す表示部を備え、
前記表示部が、
前記フェース面を飛球線方向に合わせて規定ライ角通りに前記ゴルフクラブヘッドを水平面上に配置した場合に、前記ゴルフクラブヘッドの平面視で、見えない部位に設けられたゴルフクラブヘッド。
【請求項２】
前記表示部には、
前記スコアラインを示す溝が施されており、
前記表示部は、
前記溝の平面視形状を示す第１面と、
前記第１面及び前記溝の延設方向と直交し、前記スコアラインの前記断面形状として前記溝の断面形状を示す第２面と、
を備えた請求項１に記載のゴルフクラブヘッド。
【請求項３】
前記ゴルフクラブヘッドが、その背面をなすバック部を有し、
前記表示部を前記バック部に設けた請求項１に記載のゴルフクラブヘッド。
【請求項４】
前記表示部は、前記スコアラインの複数本分の断面形状を示す請求項１に記載のゴルフクラブヘッド。
【請求項５】
前記表示部は、前記スコアラインの断面形状の１倍以上３倍以下の断面形状を示す請求項１に記載のゴルフクラブヘッド。
【請求項６】
前記ゴルフクラブヘッドが、
前記表示部を有する表示部材と、
前記表示部材が装着される凹部を備えた本体部と、
を備えた請求項１に記載のゴルフクラブヘッド。
【請求項７】
前記スコアラインと、前記溝とが、共に切削加工で形成された請求項２に記載のゴルフクラブヘッド。
【請求項８】
複数のスコアラインが形成されたフェース面を有するアイアン型のゴルフクラブヘッドにおいて、
前記スコアラインの断面形状を少なくとも示す表示部と、
前記スコアラインの仕様値を示す仕様値表示部と、
備えたゴルフクラブヘッド。
【発明の詳細な説明】
【技術分野】
【０００１】
本発明はアイアン型のゴルフクラブヘッドに関する。
【背景技術】
【０００２】
一般に、アイアン型のゴルフクラブヘッドのフェース面にはトウ−ヒール方向に互いに平行な複数の直線状の溝が形成されている。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。競技用のアイアン型ゴルフクラブヘッドについてはスコアラインに関するルール改正があり、改正後のルールに適合したスコアラインを有するゴルフクラブヘッドが提案されている（例えば特許文献１）。
【先行技術文献】
【特許文献】
【０００３】
【特許文献１】特開２００９−１４８５３８号公報
【発明の概要】
【発明が解決しようとする課題】
【０００４】
改正後のルールの下では、改正前に比べてスピン量を確保することが困難となっており、従前よりもスコアラインの形状に関して様々な工夫がなされつつある。しかし、スコアラインは細長い溝であるため、一見しただけではどのような形状的特徴を有するのかが分かりづらい。このため、そのゴルフクラブヘッドのスコアラインの特徴をユーザが認識しずらいという問題がある。
【０００５】
本発明の目的は、スコアラインの形状的特徴を視覚的に容易に識別可能にすることにある。
【課題を解決するための手段】
【０００６】
本発明によれば、複数のスコアラインが形成されたフェース面を有するアイアン型のゴルフクラブヘッドにおいて、前記スコアラインの断面形状を少なくとも示す表示部を備え、前記表示部が、前記フェース面を飛球線方向に合わせて規定ライ角通りに前記ゴルフクラブヘッドを水平面上に配置した場合に、前記ゴルフクラブヘッドの平面視で、見えない部位に設けられたゴルフクラブヘッドが提供される。
また、本発明によれば、複数のスコアラインが形成されたフェース面を有するアイアン型のゴルフクラブヘッドにおいて、前記スコアラインの断面形状を少なくとも示す表示部と、前記スコアラインの仕様値を示す仕様値表示部と、備えたゴルフクラブヘッドが提供される。
【発明の効果】
【０００７】
本発明によれば、スコアラインの形状的特徴を視覚的に容易に識別可能にすることができる。
【図面の簡単な説明】
【０００８】
【図１】（Ａ）及び（Ｂ）は本発明の一実施形態に係るゴルフクラブヘッドの正面図及び背面図。
【図２】フェース面の断面図。
【図３】（Ａ）は表示部の斜視図、（Ｂ）は図１のゴルフクラブヘッドの左側面図。
【図４】スコアライン及び溝の形成方法の説明図。
【図５】（Ａ）及び（Ｂ）は表示部の形成方法の別例を示す説明図。
【図６】（Ａ）は表示部の別例を示す説明図、（Ｂ）は仕様値表示部の説明図。
【発明を実施するための形態】
【０００９】
＜第１実施形態＞
図１（Ａ）は本発明の一実施形態に係るゴルフクラブヘッド１の正面図、図１（Ｂ)はゴルフクラブヘッド１の背面図である。図中、矢印ｄ１はトウ−ヒール方向を示す。ゴルフクラブヘッド１は、ヘッド１の正面をなすフェース面（打撃面）１０と、ヘッド１の底部をなすソール部１１と、ヘッド１の背面をなすバック部１２と、不図示のシャフトが挿入されるホゼル部１３と、を備える。本発明のアイアン型のゴルフクラブヘッドは、ロングアイアン特に、ミドルアイアン、ショートアイアン、ウェッジのいずれにも適用可能であるが、特に、ウェッジに好適である。
【００１０】
フェース面１０には複数本のスコアライン２０が形成されている。各々のスコアライン２０はトウ−ヒール方向（ｄ１方向）に延設された、互いに平行な直線状の溝である。図２は、トウ−ヒール方向（ｄ１方向）に直交する切断面における、フェース面１０の断面図であり、スコアライン２０の断面図である。本実施形態において、スコアライン２０の断面形状は、その長手方向の両端部（トウ側端部、ヒール側端部）を除き、同じである。また、各々のスコアライン２０の断面形状は同じである。
【００１１】
スコアライン２０は、一対の側壁２１と、底壁２２とを有し、その断面形状は中心線ＣＬで左右対称な台形状に形成されている。なお、スコアライン２０の断面形状は台形状に限られず、Ｖ字状等、他の形状でもよい。スコアライン２０の縁２３には丸みが形成されているが、丸みを形成しなくてもよい。
【００１２】
スコアライン２０の深さＤは、底壁２２とフェース面１０との距離である。スコアライン２０の幅Ｗは、３０度測定法による幅である。隣接するスコアライン２０間のピッチＰは等間隔（等ピッチ）であるが、配設間隔が異なっていてもよい。ゴルフクラブヘッド１を競技用とする場合、スコアライン２０の形状や寸法、ピッチＰ等はルールに従ったものとする。
【００１３】
図１（Ａ）及び図１（Ｂ）に戻り、ゴルフクラブヘッド１は、表示部３０を備える。本実施形態の場合、表示部３０は、バック部１２のトウ側上部に配設している。図３（Ａ）は表示部３０の斜視図である。
【００１４】
表示部３０は、バック部１２の一部をなす第１面３２と、第１面３２に直交する第２面（端面）３３とを有する。表示部３０にはスコアライン２０を示す溝３１が複数（２本）形成されている。溝３１はその深さ方向が第１面３２と直交するように形成されると共に、トウーヒール方向（ｄ１方向）に延設されている。要するに、溝３１は、フェース面１０に代えてバック部１２に形成されたスコアライン２０である。
【００１５】
第１面３２には溝３１の平面視形状（溝３１の深さ方向を視線方向とする）が示される。つまり、フェース面１０を正面視したときのスコアライン２０の一部と同じ形状が、第１面３２に溝３１によって示される。
【００１６】
第２面３３は、溝３１の延設方向（ｄ１方向）と直交しており、溝３１の断面形状を示している。つまり、スコアライン２０の断面形状が、第２面３３に溝３１によって示される。ユーザは、ゴルフクラブヘッド１を、そのトウ側から見ることでスコアライン２０の断面形状（溝３１の断面形状）を認識できる。
【００１７】
このように本実施形態では、スコアライン２０の断面形状を示す表示部３０を設けたことで、スコアライン２０の形状的特徴を視覚的に容易に識別可能にすることができる。この結果、例えば、ユーザはスコアライン２０の形状的特徴によりもたらされる効果をより理解し易くなる。また、例えば、ユーザがゴルフクラブを購入する際、商品選別の一要素として、スコアラインの断面形状を考慮し易くなる。
【００１８】
溝３１は、全長（長手方向の長さ）を除いてスコアライン２０と同一形状（同一寸法）であってもよいし、相似形状であってもよい。溝３１がスコアライン２０と同一形状であると、より正確に再現されている印象を与えることができるが、その断面形状が小さくて見えにくい場合がある。一方、溝３１を大きくすると、その断面形状の視認性が向上するが、表示部３０の配置スペースを確保しずらくなる。よって、倍率として、溝３１の断面形状がスコアライン２０の断面形状の１倍以上３倍以下の断面形状を有するようにすることが好ましい。
【００１９】
溝３１は、１本でもよいが本実施形態のように複数本設けることが好ましい。スコアライン２０の複数本分の断面形状を示すことで、断面形状の理解が容易になる。この場合、溝３１間のピッチをスコアライン２０のピッチに対応させることで、スコアライン２０のピッチＰも視覚的、感覚的に認識し易くなる。例えば、溝３１をスコアライン２０と同一形状とした場合は、溝３１間のピッチをスコアライン２０のピッチＰに一致させる。また、例えば、溝３１をスコアライン２０の２倍の相似形状とした場合は、溝３１間のピッチもスコアライン２０のピッチＰの２倍とする。
【００２０】
本実施形態では、溝３１の断面形状に加えて、第１面３２によって溝３１の平面視形状も示しているので、第２面３３が溝３１の断面を示していることをユーザが感覚的に認識し易くなる。加えて、溝３１がスコアライン１０と同様にトウーヒール方向（ｄ１方向）に形成されているため、ユーザに対して、溝３１がスコアライン１０を表しているという感覚を付与することができる。
【００２１】
表示部３０はゴルフクラブヘッド１の任意の部位に設けることができるが、アドレス時にユーザの視野内に存在すると、ユーザが気にする場合がある。そこで、アドレス時に見えない部位に表示部３０が配設されていることが好ましい。例えば、表示部３０は、フェース面１０を飛球線方向に合わせて規定ライ角通りにゴルフクラブヘッド１を水平面上に配置した場合（以下、規定位置という）に、ゴルフクラブヘッド１の平面視で、見えない部位に配設することが好ましい。
【００２２】
本実施形態では、表示部３０をバック部１２に設けたので、ゴルフクラブヘッド１を規定位置に配置した場合に、ゴルフクラブヘッド１の平面視では、表示部３０が見えなくなる。図３（Ｂ)はその説明図であり、ゴルフクラブヘッド１の左側面図である。同図の例では、ゴルフクラブヘッド１を規定位置に配置した場合を想定している。ゴルフクラブヘッド１を平面視した場合（同図の上方からゴルフクラブヘッド１を眺めた場合）、表示部３０はフェース面１０の背面に位置しており、視認できない。このように表示部３０をバック部１２に設けたことで、一般的に想定されるアドレス時のゴルフクラブヘッド１の姿勢については、ユーザの視界に入らないようにすることができる。
【００２３】
次に、スコアライン２０及び溝３１の形成方法の例について図４を参照して説明する。スコアライン２０及び溝３１は、鍛造、鋳造、切削加工、レーザ加工により形成することができる。ここでは、スコアライン２０及び溝３１をいずれも切削加工により形成する場合について説明する。スコアライン２０及び溝３１を共に切削加工で形成することで、これらを比較的高い精度で形成できる。
【００２４】
図４はＮＣフライス盤により切削加工を行う場合の説明図である。まず、状態ＳＴ１に示すように、スコアライン２０及び溝３１が未加工のゴルフクラブヘッド１ＡをＮＣフライス盤に治具１０１を介して固定する。ＮＣフライス盤は、Ｚ軸回りに回転駆動されるスピンドル１０２を有し、スピンドル１０２の下端には切削ツール（エンドミル）１０３が取り付けられている。切削ツール１０３は、スコアライン２０の形成に適したものを装着する。
【００２５】
まず、ＮＣフライス盤において、ゴルフクラブヘッド１Ａの座標設定を行った後、スピンドル１０２を回転駆動する。ゴルフクラブヘッド１Ａ又は切削ツール１０３を、トウ−ヒール方向（ｄ１方向）に相対的に移動しながら、フェース面１０を切削する。これによりスコアライン２０を形成する。一つのスコアライン２０を形成すると、切削ツール１０３をフェース面１０から離間させた後、スコアライン２０の配列方向に切削ツール１０３を相対的に移動し、次のスコアライン２０を形成する。こうして、全てのスコアライン２０を形成する。
【００２６】
次に、状態ＳＴ２に示すように、溝３１が未加工のゴルフクラブヘッド１ＢをＮＣフライス盤に治具１０１’を介して固定する。本実施形態では、溝３１がバック部１２に形成されるため、状態ＳＴ２では状態ＳＴ１の場合とゴルフクラブヘッド１Ｂの向きが逆になっている。
【００２７】
溝３１をスコアライン２０と同一形状とする場合には、切削ツール１０３を交換せずに、同じ切削ツール１０３を利用してもよい。これにより、再現性の高い溝３１を形成することができる。溝３１をスコアライン２０と相似形とする場合には、必要に応じて切削ツール１０３を交換する。
【００２８】
次に、ＮＣフライス盤において、ゴルフクラブヘッド１Ｂの座標設定を行った後、スピンドル１０２を回転駆動する。ゴルフクラブヘッド１Ｂ又は又は切削ツール１０３を、トウ−ヒール方向（ｄ１方向）に相対的に移動しながら、バック部１２を切削する。これにより溝３１を形成する。一つの溝３１を形成すると、切削ツール１０３をバック部１２から離間させた後、溝３１の配列方向に切削ツール１０３を相対的に移動し、溝３１を形成する。こうして、全ての溝３１を形成する。
【００２９】
本実施形態では、スコアライン２０及び溝３１を共通の加工機（ＮＣフライス盤）で形成するため、比較的簡易にこれらを形成できる。また、スコアライン２０及び溝３１の形成作業を連続的に行えることができ、作業効率を高められる。
【００３０】
＜第２実施形態＞
表示部３０の別の形成例について説明する。ゴルフクラブヘッド１は複数の部材から構成可能である。その際、表示部３０を別部材として構成する。図５（Ａ）及び図５（Ｂ）は表示部３０の形成方法の別例を示す説明図である。同図において、上記第１実施形態と同様の構成については同じ符号を付して説明を割愛する。
【００３１】
図５（Ａ）及び図５（Ｂ)のゴルフクラブヘッド１’は、本体部２と表示部材３とを備える。表示部材３は、表示部３０を有したブロック状の部材である。本体部２は、表示部３０以外の構成を有すると共に、表示部材３が装着される凹部１２１がバック部１２に形成されている。凹部１２１に表示部材３を接着材等で固定することで、上記第１実施形態と同様の表示部３０を形成することができる。
【００３２】
表示部３０を別部材とすることで、例えば、バック部１２に直接溝３１を形成することが困難な場合であっても、表示部３０を形成することが可能となる。表示部材の溝３１の形成方法は、上記第１実施形態と同様に、鍛造、鋳造、切削加工、レーザ加工といった、各種の加工方法により形成することができる。
【００３３】
＜第３実施形態＞
上記第１実施形態の表示部３０は、スコアライン２０の平面視形状を示す部分（第１面３２）と、断面形状を示す部分（第２面３３）とを有する構成としたが、表示部はスコアライン２０の断面形状のみを示してもよい。
【００３４】
図６（Ａ）はその一例を示す。同図において、上記第１実施形態と同様の構成については同じ符号を付して説明を割愛する。
【００３５】
図６（Ａ)はバック部１２に表示部３０Ａを設けた例を示す。表示部３０Ａは、スコアライン２０の断面形状を示す凸部３５と、その周囲の凹部３４と、からなり、スコアライン２０の断面形状のみを示している。この表示部３０Ａは、例えば、表示部３０Ａが未形成のバック部１２について、凹部３４を切削加工で切削して凸部３５を形成することにより形成できる。このように表示部は、少なくともスコアライン２０の断面形状を示すことができればよい。
【００３６】
なお、本実施形態も、上記第２実施形態のように表示部３０Ａを別部材とすることも可能である。
【００３７】
＜第４実施形態＞
スコアライン２０の仕様値を示す仕様値表示部を更に備えてもよい。図６（Ｂ）はその一例を示す。同図において、上記第１実施形態と同様の構成については同じ符号を付して説明を割愛する。
【００３８】
同図の仕様値表示部４０は、バック部１２に配置されており、スコアライン２０の仕様値として、幅Ｗ及び深さＤを示している。仕様値としては、この他に、縁２３の丸みの半径、ピッチＰ、スコアライン２０の断面積Ａ、断面積Ａ／ピッチＰ、といった各種の値を挙げられる。このような仕様値を表示することで、スコアライン２０の特徴を更にユーザに提供することができる。
【００３９】
仕様値は、スコアライン２０の設計値であってもよいし、実測値であってもよい。実測値とすると、ユーザに対して、ユーザ固有の、世界で１つのゴルフクラブヘッドであるとの認識を与えることができ、付加価値を高めることができる。実測値の場合、任意の一本のスコアライン２０の実測値としてもよいし、複数本のスコアライン２０の実測値の平均値としてもよい。
【００４０】
仕様値表示部４０は、バック部１２に限られず、ゴルフクラブヘッド１の任意の部位に配置できるが、表示部３０と同様、アドレス時に見えない部位に配設されていることが好ましい。本実施形態のようにバック部１２に配置することで、アドレス時にユーザの視界に入らないようにすることができる。
【００４１】
仕様値表示部４０の数値及び文字は、ゴルフクラブヘッド１の表面に切削加工によって形成してもよいし、仕様値表示部４０をシール等にしてゴルフクラブヘッド１に貼り付けてもよい。
【図１】
0006009828.tif 000002
【図２】
0006009828.tif 000003
【図３】
0006009828.tif 000004
【図４】
0006009828.tif 000005
【図５】
0006009828.tif 000006
【図６】
0006009828.tif 000007